(57)【要約】【課題】例えば、体外血液回路又は点滴セット等の導液チューブ内に適時施療に必要な薬液などを混注するための側注装置に備えた注射器の先管が結合できる受口に、注射器の先管を結合して側注するに先立って、該受口を清拭（滅菌消毒等）するための清拭具、特に受口内面の丁寧な清拭が、忙しい看護師をして手早く、しかも面倒なく行えるようにした清拭具を提供する。【解決手段】本発明に係る清拭具は、注射器Ｃの先管Ｃ′がすり合わせ結合できるように備えられている側注装置２の受口３の清拭具であって、該受口３に螺合できるキャップ５と、該キャップ５の内端面に設けられ、前記受口３への螺合時に前記受口の内周面にすり合うように突出した清拭用突部７と、該清拭用突部の封緘用容器８とからなることを特徴とする。【選択図】図２
2006075356.tif 000002
【特許請求の範囲】
【請求項１】
注射器の先管がすり合わせ結合できるように備えられている側注装置の受口の清拭具であって、該受口に螺合できるキャップと、該キャップの内端面に設けられ、前記受口への螺合時に前記受口の内周面にすり合うように突出した清拭用突部と、該清拭用突部の封緘用容器とからなることを特徴とする清拭具。
【請求項２】
前記清拭用突部が、着色されたフェルト材に清拭液を含浸させたものか、フェルト材に着色された清拭液を含浸させたものであることを特徴とする請求項１に記載の清拭具。
【請求項３】
前記清拭用突部が、前記キャップの頭部に備えたスポイトに連通していることを特徴とする請求項１または２に記載の清拭具。
【請求項４】
前記清拭用突部が、前記キャップの頭部に備えた清拭液収容容器に連通していることを特徴とする請求項１または２に記載の清拭具。
【請求項５】
前記清拭液収容容器を頭部に備えたキャップと、該キャップの清拭用突部を封緘する封緘用容器とをカバー体を介して切離し可能に仮結合したことを特徴とする請求項４に記載の清拭具。
【発明の詳細な説明】
【技術分野】
【０００１】
本発明は、例えば、体外血液回路又は点滴セット等の導液チューブ内に適時施療に必要な薬液などを混注するための側注装置に備えた注射器の先管が結合できる受口に、注射器の先管を結合して側注するに先立って、該受口を清拭（滅菌消毒等）するための清拭具に関するものである。
【背景技術】
【０００２】
従来、腎不全患者の治療に用いられる体外血液回路の導液チューブや輸血または輸液セットの導液チューブの途中には施療に必要な薬液や栄養剤などを適時混注するための側注装置が備えられている。この側注装置として、例えば、特開平７−３２８１１８号公報のものがある。この側注装置は、図７に示す如く、両端に導液チューブ６１、６１の接続部６２、６２を有する管本体６３の中間部の上面に、注射器Ｃの先管Ｃ′が結合できる受口６４を有している。この受口６４は弁手段６５を介して管本体６３を通る流路６６に連通している。ここに示す弁手段６５は管本体６３の内面に密着しているゴム管により構成され、注射器Ｃから噴出する薬液などの圧でゴム管が変形すると流路６６に通じ、注射器Ｃからの噴出圧が停止するとゴム管が旧形状に復帰して流路６６からの逆流を阻止するようになっている。
【０００３】
上記側注装置を通して行われる薬液などの混注は、その必要が生じたときに行われるから、その待機中、前記受口には、図７には示されていないが、防塵キャップが施され、前記受口６４が人の手に直に触れられないようにしたり、空中に浮遊している埃塵などが付着しないようにしている。この防塵キャップには、通常、前記受口６４に設けた雄リブに螺合できる雌ねじ部を設けて締め付けて簡単には外されないようにし、受口６４の清潔さを保っているが、それでも、側注に際して注射器Ｃの先管Ｃ′を結合するに先立って、必ず、受口６４の内面を滅菌消毒等のために清拭することが義務付けられている。
【特許文献１】特開平７−３２８１１８号公報
【発明の開示】
【発明が解決しようとする課題】
【０００４】
しかしながら、上記側注装置に備えた受口の清拭には、通常、綿棒のような器具を利用し、その綿部位にアルコール液などの清拭液を含浸させて受口内面を丁寧に拭くようにしているが、側注に際し、上記受口の内面を丁寧に清拭することは、忙しい看護師にとって物理的に困難であったばかりでなく甚だ面倒な作業であった。しかしこの清拭作業を省略することは院内感染などの原因になることがあった。
【０００５】
本発明は、上記課題を解消するためのもので、その目的とするところは、上記側注装置に備えた受口に注射器Ｃの先管Ｃ′を結合するに先立って行われる受口内面の丁寧な清拭が、忙しい看護師をして手早く、しかも面倒なく行えるようにした清拭具を提供する点にある。
【課題を解決するための手段】
【０００６】
上記の目的を達成するため、本発明に係る清拭具は、注射器の先管がすり合わせ結合できるように備えられている側注装置の受口の清拭具であって、該受口に螺合できるキャップと、該キャップの内端面に設けられ、前記受口への螺合時に前記受口の内周面にすり合うように突出した清拭用突部と、該清拭用突部の封緘用容器とからなることを特徴とし、防塵キャップを外して交換的に側注装置の受口にキャップを結合するだけで受口内面の丁寧な清拭が手早く、しかも面倒なく行えるように構成した。
【０００７】
また、請求項２に記載の発明に係る清拭具は、前記清拭用突部が、着色されたフェルト材に清拭液を含浸させたものか、フェルト材に着色された清拭液を含浸させたものであることを特徴とし、透明な受口の内面に清拭用突部が触れている状況が目視できるように構成した。
【０００８】
さらに、請求項３に記載の発明に係る清拭具は、前記清拭用突部が、前記キャップの頭部に備えたスポイトに連通していることを特徴とし、使用時に清拭液を吸引して清拭用突部に供給できるように構成した。
【０００９】
さらにまた、請求項４に記載の発明に係る清拭具は、前記清拭用突部が、前記キャップの頭部に備えた清拭液収容容器に連通していることを特徴とし、予め、キャップの頭部に清拭液を保留できるように構成した。
【００１０】
さらにまた、請求項５に記載の発明に係る清拭具は、前記清拭液収容容器を頭部に備えたキャップと、該キャップの清拭用突部を封緘する封緘用容器とをカバー体を介して切離し可能に仮結合したことを特徴とし、保管・管理し易いように構成した。
【発明の効果】
【００１１】
本発明に係る清拭具によれば、注射器の先管がすり合わせ結合できるように備えられている側注装置の受口にキャップを結合すれば、該キャップの内端面に設けた清拭用突部が受口内周面にすり合うように嵌入するから、受口の内面は即座に丁寧な清拭が完了できるようになり、側注に際し、忙しい看護師をして簡単かつ面倒なくしかも手早く清拭作業が行え、院内感染などの原因を未然に防止できるという優れた効果を奏するものである。
【００１２】
また、請求項２に記載の清拭具によれば、前記清拭用突部が、着色されたフェルト材に清拭液を含浸させたものか、フェルト材に着色された清拭液を含浸させたものであり、透明な受口の内面に清拭用突部が触れている状況が目視でき、正しい清拭が行われていることが容易に確認できるという優れた効果を奏するものである。
【００１３】
さらに、請求項３に記載の清拭具によれば、前記清拭用突部が、前記キャップの頭部に備えたスポイトに連通しているから使用時に清拭液を吸引して清拭用突部に供給できる。したがって、使用時毎に清拭用突部に清拭液を含浸させることができるという優れた効果を奏するものである。
【００１４】
さらにまた、請求項４に記載の清拭具によれば、前記清拭用突部が、前記キャップの頭部に備えた清拭液収容容器に連通しているからキャップの頭部にはいつも清拭液が保留され、この液を適時、清拭用突部に供給するから、空拭きのおそれが一切ないという優れた効果を奏するものである。
【００１５】
さらにまた、請求項５に記載の清拭具によれば、前記清拭液収容容器を頭部に備えたキャップと、該キャップの清拭用突部を封緘する封緘用容器とをカバー体を介して切離し可能に仮結合したから、保管・管理し易いし、そのカバー体を介して並列状に切離し可能に仮結合することもできるなどの優れた効果を奏するものである。
【発明を実施するための最良の形態】
【００１６】
次に、本発明の実施の態様を添付図面に基づいて説明する。図１は本願清拭具を示す正面断面図、図２は本願清拭具の使用状態を示す正面断面図、図３は側注時の正面断面図、図４は清拭液収容容器を持つ本願清拭具の正面図で、（ａ）は使用前、（ｂ）は封緘用容器の切離し時、（ｃ）は清拭時、図５は本願清拭具を並列状に仮結合した状態を示す説明図、図６は本願清拭具の他の例の正面断面図（ａ）とその使用状態（ｂ）の正面断面図である。
【００１７】
本願清拭具１は、図３の如く、注射器（シリンジ）Ｃの先管Ｃ′がすり合わせ結合できるように備えられている側注装置２の受口３の内面を清拭するためのものである。該側注装置２は、体外血液回路や輸血または輸液セットの導液チューブブ２１の途中の切断端を繋ぐための接続部２２を有する本管２３の一側面に、図２、図３の如く、Ｔポート状に立上げた立管２４を設け、該立管２４の基部内には弁手段２５が備えられている。該弁手段２５は本管２３の段部２３ａと、これに密着している変形可能な弁体２３ｂとにより構成され、注射器Ｃから図３の矢印Ａの如く噴出する薬液などの圧が掛かると弁体２３ｂが変形して流路を開き、その圧が解除されると弁体２３ｂが図２の如く旧形状に戻って逆流を阻止するようになっている。なお、弁手段２５は図示の例のものには限らない。
【００１８】
前記本願清拭具１は、前記側注装置２の受口３の雄リブ４に螺合できる雌ねじ部５′を有するキャップ５（以下「雌ねじキャップ５」という）と、該雌ねじキャップ５の内端面から突出している骨材６に支持（接着剤接着などにより）された清拭用突部７と、該清拭用突部７の封緘用容器８とからなる。この封緘用容器８は前記清拭用突部７に含浸されている清拭液（アルコールなどの滅菌消毒剤）が使用時まで蒸発させないようにするためのもので、その口部に雄リブ９を設け、前記雌ねじキャップ５の雌ねじ部５′に、図１の如く螺合させて密封している。
【００１９】
前記清拭用突部７は、前記受口３内に嵌入させ、雌ねじキャップ５を雄リブ４に螺合させる（回転を伴う）と、受口３の内周面のルアーテーパ面にすり合うように回りながら嵌入できる形状（ルアーテーパ）になっている。しかして、該受口３内は清拭用突部７が直に触れる個所のみならず、清拭用突部７が届かない部分までも、回りながらのすり合いで清拭用突部７から滲み出た清拭液（アルコールなどの滅菌消毒剤）により完璧に清拭されることとなる。
【００２０】
前記清拭用突部７は、例えば、赤色、青色などに着色されたフェルト材（例えば、サインペンのペン先の如く繊維を固めてなるもの、以下同じ）に無色透明な清拭液（滅菌消毒剤など）を含浸せるか、フェルト材に、予め、赤色、青色などに着色されている清拭液を含浸せてもよい。すなわち、前記受口３が透明素材で構成されているときには、該受口３の内面に清拭用突部７が触れている状況が目視できる点で好ましいからである。
【００２１】
前記清拭用突部７を、前記雌ねじキャップ５の頭部に備えたスポイト１０に連通しておき、図４（ａ）の如く清拭液を収容しているアンプル１１を開栓し、該アンプル１１内に清拭用突部７を差込み、該雌ねじキャップ５の頭部のスポイト１０を手指の操作で清拭液を吸引して清拭用突部７に万遍なく含浸させるようにすることも可能である。このようにして清拭用突部７に清拭液を含浸させたならば、図４（ｂ）の如くアンプル１１を外し、清拭用突部７を、図４（ｃ）の如く側注装置２の受口３に嵌入して雌ねじキャップ５を該受口３の雄リブ４に螺合させていけば清拭作業を手早く完了できる。
【００２２】
また、前記雌ねじキャップ５の頭部には予め清拭液を収容した容器１２を設け、該容器１２を前記清拭用突部７に連通させるように構成してもよい。この場合は容器１２を押し潰せば内部の清拭液を清拭用突部７に供給できる点で好ましい。
【００２３】
さらに、前述の如く頭部に清拭液収容容器１２を備えた雌ねじキャップ５と、該雌ねじキャップ５の清拭用突部７を封緘する封緘用容器８とを、それぞれ覆ったカバー体１３、１３′を介して切離し可能に仮結合１４して図５の如く構成することも可能である。
この場合、本願清拭具１として保管・管理し易いし、前記カバー体を１３、１３′を並列させて側部間の当接部を切離し可能に仮結合１４をすることによりまとめて保管・管理できるように構成することも可能である。
【００２４】
次に、本発明の作用について述べる。いま、腎不全患者の治療に用いられる体外血液回路の導液チューブ２１や輸血または輸液セットの導液チューブ２１の途中に備えられている側注装置２の受口３に、注射器Ｃの先管Ｃ′を結合し、患者への施療に必要な薬液などを混注するに先立って、該受口３の内面を丁寧に清拭することとなる。
【００２５】
上記清拭に際し、まず、本願清拭具１を用意する。次いで、本願清拭具１の雌ねじキャップ５と、該雌ねじキャップ５の雌ねじ部５′に螺合している封緘用容器８を取り外して清拭用突部７を露出させる。
【００２６】
次に、清拭用突部７を前記側注装置２の受口３内に嵌入させ、雌ねじキャップ５を所定の方向に回し、雌ねじ部５′を受口３の雄リブ４に螺合させる。この清拭用突部７は受口３の内周面のルアーテーパ面にすり合うように回りながら嵌入できる形状になっているため、該清拭用突部７に含浸されている滅菌消毒剤などの清拭液で丁寧な清拭がされる。
【００２７】
この場合、清拭用突部７が直に触れる部分は勿論、清拭用突部７が届いていない部分も雌ねじキャップ５のねじ込み時に滲み出た清拭液が内周面を伝って垂下することから全面的に完璧に清拭（滅菌消毒）される。
【００２８】
次いで、腎不全患者や輸血または輸液施療患者の治療に必要な薬液等を注射器Ｃに吸引する。しかる後、先に、清拭のために受口３に螺合させていた雌ねじキャップ５を清拭用突部７と一緒に取り除き（図３一点鎖線参照）、前述の如く薬液等を吸引収容している注射器Ｃの先管Ｃ′を図３の如く受口３に結合させ、図示しないプランジャーの押し操作により注射器Ｃ内の薬液等を押出すと、弁手段２５が変形して流路が開かれて側注が完了することとなる。
【００２９】
側注終了後、プランジャーの押し操作を止めると、前記弁手段２５が図２の如く旧状態に戻り、側注後の逆流を確実に防止できるようになっている。
【００３０】
なお、上記実施態様によれば、前記受口３は、その外縁に雄リブ４を設けたものを示したが、該受口３として、図６（ｂ）の如く、その受口３を包むようにソケット状部１５が設けられ、その内面に雌リブ１６を設けた形態のものもある。この場合、本願清拭具１の形態も、前記ソケット状部１５の雌リブ１６に螺合できる雌ねじ部１７′を有するキャップ（雄ねじキャップ１７）となることは勿論である。
【００３１】
このように、本願清拭具１の他の例である雄ねじキャップ１７の場合には、その内端面から突出している骨材６に支持させた清拭用突部７に含浸されている清拭液（アルコールなどの滅菌消毒剤）を使用時まで蒸発させないようにするために封緘する封緘用容器８には、図６（ａ）の如く、雌リブ１８を設け、雌リブ１８を介して前記雄ねじキャップ１７の雄ねじ部１７′に螺合させるようにしている。
【産業上の利用可能性】
【００３２】
本願清拭具１は、体外血液回路又は点滴セット等の導液チューブ内に適時施療に必要な薬液などを注射器により混注（側注）するための側注装置の受口に注射器の先管をすり合わせ結合させて混注するに先立って、忙しい看護師をして面倒さがなく、手早くしかも簡単に清拭（滅菌、消毒等）作業ができるもので、病院などにおける利用可能性、ひいては産業上の利用可能性は極めて大きいものである。
【図面の簡単な説明】
【００３３】
【図１】本願清拭具を示す正面断面図である。
【図２】本願清拭具の使用状態を示す正面断面図である。
【図３】側注時の正面断面図である。
【図４】清拭液収容容器を持つ本願清拭具の正面図で、（ａ）は使用前、（ｂ）は封緘用容器の切離し時、（ｃ）は清拭時である。
【図５】本願清拭具を並列状に仮結合した状態を示す説明図である。
【図６】本願清拭具の他の例の正面断面図（ａ）とその使用状態（ｂ）の正面断面図である。
【図７】従来の側注装置の断面図である。
【符号の説明】
【００３４】
１  本願清拭具
２  側注装置
３  受口
４  雄リブ
５  雌ねじキャップ
５′  雌ねじ部
６  骨材
７  清拭用突部
８  封緘用容器
９  雄リブ
１０  スポイト
１１  アンプル
１２  清拭液収容容器
１３、１３′  カバー体
１４  仮結合
１５  ソケット状部
１６  雌リブ
１７′  雌ねじ部
１７  雄ねじキャップ
１８  雌リブ
２１  導液チューブ
２２  接続部
２３  本管
２４  立管
２５  弁手段
Ｃ  注射器
Ｃ′  先管
【図１】
2006075356.tif 000003
【図２】
2006075356.tif 000004
【図３】
2006075356.tif 000005
【図４】
2006075356.tif 000006
【図５】
2006075356.tif 000007
【図６】
2006075356.tif 000008
【図７】
2006075356.tif 000009